(57)【特許請求の範囲】
【請求項１】
外周面にねじ部を有する内容物充填用の開口部を備えた容器本体と、この容器本体の開口部のねじ部に係合して容器本体の充填空間を密封するスクリューキャップからなるキャップ付き容器において、
前記開口部は、その外周の少なくとも一カ所に、ねじ部のねじ山相互間においてスクリューキャップのねじ山先端部と強固に接して該スクリューキャップの弛みを防止する係止突起を備え、
この係止突起に隣接して、容器本体の開口部に対するスクリューキャップの傾きを回避する傾き防止部分を設け、
該傾き防止部分は、係止突起の突出端よりも低いがねじ山相互間の谷底よりも高い先端部を有し、該係止突起との間で段差を形成するものである、ことを特徴とするキャップ付き容器。
【請求項２】
スクリューキャップは、トリガー式吐出器を備えたものである、請求項１記載のキャップ付き容器。
【発明の詳細な説明】
【０００１】
【発明の属する技術分野】
本発明は、液状の洗剤や化粧品あるいは洗浄・除菌剤等の内容物を充填した容器をスクリューキャップにて密封したキャップ付き容器に関し、とくに、スクリューキャップを容器本体の開口部に係合させる際のキャップの傾きに起因した内容物の漏れを効果的に回避しようとするものである。
【０００２】
【従来の技術】
液状の内容物を充填・保持する容器は、一般に、容器本体内に通じる開口部の外周にねじ部が形成されていて、この開口部にスクリューキャップをねじ込んで係合させ、該キャップの内部に設置したシール用のパッキンに、開口部の先端を押し当てるようにして容器の充填空間を密閉するようになっている。
【０００３】
ところで、この種の容器は、スクリューキャップを容器本体の開口部に強くねじ込んで係合させても、その搬送過程や容器の取り扱いの際の振動や衝撃によってキャップが自然に弛んでしまい、ときとして容器内の内容物が漏れてしまうことがある。
【０００４】
このため、従来は、キャップの弛み止め防止策として、開口部のねじ山の相互間（ねじの谷部）に局所的な突起を設けて、キャップのねじ込みに際して、かかる突起にキャップのねじ部を乗り上げさせることによってキャップの開口部に対する係合力を高めるようにしており、この点に関する先行文献としては、例えば、実公昭５６−１２２０４号公報等が参照される。
【０００５】
しかしながら、突起にキャップのねじ部を乗り上げさせてキャップの係合力を高める形式のものにおいては、キャップが簡単に弛むことはないものの、キャップが径方向に押し広げられるような力が常時付加されるため、例えば、容器を誤って落下させるなどしてキャップに衝撃が加わった場合に破損しやすくなる。
【０００６】
このため、キャップのねじ山に対する突起の押圧力を小さくしてキャップの径方向に加わる力の軽減を図るべく、図１に示すように、突起１の一部分（Ｒが形成されている面等）にキャップ２のねじ部２ａが接触してキャップの弛み止め防止効果を発揮させるようにしているが、このような構造のものでは、キャップ２のねじ部２ａと突起１の接触が不安定になり、図２に示す如く、キャップ２が開口部３において傾いて装着される場合があって、開口部３の先端とキャップ２の内側に配置したシール用のパッキン４との間に部分的ではあるがすき間ｔが生じ、キャップを装着しているにもかかわらず内容物が漏れ出してしまう問題がある。
【０００７】
本発明の課題は、容器本体に対するキャップの弛み止め効果が期待でき、かつ、容器本体の開口部にキャップが傾いた状態で装着されることのない新規なキャップ付き容器を提案する。
【０００８】
【課題を解決するための手段】
本発明は、外周面にねじ部を有する内容物充填用の開口部を備えた容器本体と、この容器本体の開口部のねじ部に係合して容器本体の充填空間を密封するスクリューキャップからなるキャップ付き容器において、
前記開口部は、その外周の少なくとも一カ所に、ねじ部のねじ山相互間においてスクリューキャップのねじ山先端部と強固に接して該スクリューキャップの弛みを防止する係止突起を備え、
この係止突起に隣接して、容器本体の開口部に対するスクリューキャップの傾きを回避する傾き防止部分を設け、
該傾き防止部分は、係止突起の突出端よりも低いがねじ山相互間の谷底よりも高い先端部を有し、該係止突起との間で段差を形成するものである、ことを特徴とするキャップ付き容器である。
【０００９】
傾き防止部分は、係止突起との間で段差を形成するものとするのが好ましい。
【００１０】
また、係止突起は、その突出端に容器本体の底部に向かう傾斜面を有するものであり、傾き防止部分はその先端部に係止突起の傾斜面につながり、さらに容器本体の底部に向けて傾斜した傾斜面を有するものが好適である。
【００１１】
スクリューキャップは、トリガー式吐出器を備えたものを適用することもできる。
【００１２】
【発明の実施の形態】
以下、図面を参照して本発明を具体的に説明する。
図３は本発明に従うキャップ付き容器の要部を模式的に示したものであって、図中番号５は熱可塑性樹脂の如き素材をブロー成形によって製造される容器本体であり、この容器本体５は外周面にねじ部５ａを有する内容物充填用の開口部５ｂを備える。また、６は開口部５ｂのねじ部５ａに係合して容器本体内の充填空間を密封するスクリューキャップである。
【００１３】
また、７はスクリューキャップ６の弛みを防止するための係止突起であって、この係止突起７は、開口部５ｂの周りのねじ山相互間に、好適には３箇所程度等間隔で設けられ、スクリューキャップ６のねじ山先端部と強固に接するようになっていて、これによってスクリューキャップ６の弛みを防止する。
【００１４】
また、８は係止突起７に隣接配置され、該係止突起７の突出端よりも低いがねじ山相互間の谷底よりも高い先端部を有し、スクリューキャップ６の開口部５ｂに対する傾きを回避する傾き防止部分である。
【００１５】
本発明においては、スクリューキャップ６のねじ部が係止突起７から外れるようなことがあっても、該係止突起７に続く傾き防止部分８でキャップ６のねじ部が受け止められ、結果としてキャップ６が、開口部５ｂに対して大きく傾くのが回避されることになるので、従来のように、キャップ６の内側に配置されるパッキン６ａと開口部５ｂの先端部との間で隙すき間が生じることはない。
【００１６】
図４は上掲図３に示した係止突起７と傾き防止部分８の外観を示したものである。傾き防止部分８は基本的には、係止突起７との間で段差が形成されているのでキャップ６をその径方向に押し広げるような力が作用することはない。サイズや形状については特に限定されないが、図示のようにリブ状のものが適用できる。
【００１７】
図５（ａ）（ｂ）は、キャップ６の弛み止め効果をより一層高めるために係止突起７の幅をねじ部に沿って延長した構成のものである。このような構成のものにおいては、図６に示すように傾き防止部分８を２つ、あるいは複数個設けることができる。
【００１８】
図７（ａ）（ｂ）は、係止突起７と傾き防止部分８の間に段差を設けるかわりに、その両者に容器本体５の底部に向かう連続した傾斜面を設け、その幅に関しても係止突起７から傾き防止部分８にかけて徐々に小さくした例である。
【００１９】
このような構成においてはスクリューキャップ６の装着がスムーズであるだけでなく、高い弛み止め機能を保持しつつ、キャップ６の傾きによる内容物の漏れを回避できる。
【００２０】
本発明に適合するキャップ付き容器は、容器本体の開口部を単に密封する一般的なキャップの他、トリガー式の吐出器を備えたものにも適用できるものであり、キャップの種類に関してはとくに限定はされない。
係止突起７及び傾き防止部分８は容器本体５と同材質のものにて構成することができ、容器本体の製作に際して同時に成形される。
【００２１】
【発明の効果】
本発明によれば、キャップの緩みを防止する係止突起からキャップのねじ部がずれるようなことがあっても、該ねじ部の先端は傾き防止部分で受け止められるので、キャップが開口部において大きく傾いて装着されることがなく、従ってこの傾きに起因した液漏れを回避できる。
【図面の簡単な説明】
【図１】従来形式のキャップ付き容器の構成を示した図である。
【図２】従来形式のキャップ付き容器においてキャップが傾いて装着された状態を示した図である。
【図３】本発明に従うキャップ付き容器の構成説明図である。
【図４】図３の要部の外観を示した図である。
【図５】本発明に従うキャップ付き容器の他の構成例を示したものであって、（ａ）はその外観を、（ｂ）はその断面をそれぞれ示したものである。
【図６】本発明に従うキャップ付き容器の他の構成例を示したものである。
【図７】キャップ付き容器の他の構成例を示したものであり、（ａ）はその外観を、（ｂ）はその断面をそれぞれ示したものである。
【図１】
0004323040.tif 000002
【図２】
0004323040.tif 000003
【図３】
0004323040.tif 000004
【図４】
0004323040.tif 000005
【図５】
0004323040.tif 000006
【図６】
0004323040.tif 000007
【図７】
0004323040.tif 000008